(57)【要約】【課題】使い勝手が良く、歯の汚れの除去性能が高い歯ブラシを提供する。【解決手段】棒状の柄１１と、柄１１に回転自在に取付けられた回転ヘッド２１とを備え、柄１１は、手で把持するハンドル部１２と、先端部に形成されたネック部１３とを有し、回転ヘッド２１は、歯を磨くブラシ毛３１が植毛された植毛面２４を有し、ハンドル部１２の中心軸線Ｏに対して平行に回転するようにネック部１３の先端部に取付けられ、ネック部１３は、植毛面２４が中心軸線Ｏに平行な状態で植毛面２４の正面視において、植毛面２４が中心軸線Ｏ上に位置するように湾曲している。【選択図】図１
2017006396.tif 000002
【特許請求の範囲】
【請求項１】
棒状の柄と、前記柄に回転自在に取付けられた回転ヘッドとを備え、
前記柄は、手で把持するハンドル部と、先端部に形成されたネック部とを有し、
前記回転ヘッドは、歯を磨くブラシ毛が植毛された植毛面を有し、前記ハンドル部の中心軸線に対して平行に回転するように前記ネック部の先端部に取付けられ、
前記ネック部は、前記植毛面が前記中心軸線に平行な状態で前記植毛面の正面視において、前記植毛面が前記中心軸線上に位置するように湾曲していることを特徴とする歯ブラシ。
【請求項２】
前記ネック部は、前記回転ヘッドの前記植毛面を有する植毛部が前記中心軸線上に位置するように湾曲していることを特徴とする請求項１に記載の歯ブラシ。
【請求項３】
前記ネック部は、前記ブラシ毛で歯の裏面を磨くときに歯に接触しないように湾曲していることを特徴とする請求項１又は２に記載の歯ブラシ。
【請求項４】
前記ネック部は、前記回転ヘッドを回転自在に取付可能な円筒状の軸受部を備え、
前記回転ヘッドは、前記軸受部に回転自在に嵌合する軸部を備え、
前記軸部は、前記軸受部内を摺動する摺動部が、径方向断面視において、前記軸受部の内径よりも大きい直径の円に２点以上で接し、該円に接する頂点を弧状とした形状に形成されていることを特徴とする請求項１から３のいずれか１項に記載の歯ブラシ。
【請求項５】
前記摺動部は、径方向断面視において、前記軸受部の内径よりも大きい直径の円に３点で接する三角形状に形成されていることを特徴とする請求項４に記載の歯ブラシ。
【請求項６】
前記回転ヘッドは、側面視において、前記植毛面が歯の角度に応じて鉛直面に対し傾斜していることを特徴とする請求項１から５のいずれか１項に記載の歯ブラシ。
【請求項７】
前記ネック部は、前記回転ヘッドを回転自在に取付可能な円筒状の軸受部を備え、
前記回転ヘッドは、前記軸受部に回転自在に嵌合する軸部を備え、
前記軸受部は、内径が縮径された凸部を有し、
前記軸部は、先端部の外径が前記凸部の内径よりも大きく形成されており、先端部が前記軸受部の凸部を乗り越えて前記軸受部に嵌合されていることを特徴とする請求項１から６のいずれか１項に記載の歯ブラシ。
【発明の詳細な説明】
【技術分野】
【０００１】
本発明は、歯を磨くときに使用する歯ブラシに関する。
【背景技術】
【０００２】
歯ブラシは、真っ直ぐな棒状の柄の先端にブラシ毛が植毛されたものが一般的に使用されている。歯ブラシは、磨き心地や汚れの除去性能を向上すべく、ブラシ毛の先端形状や配置、材質、柄の先端部の形状等が異なるものが種々、提案されている。
【０００３】
柄が真っ直ぐな歯ブラシでは、歯の角度に応じて柄を握っている手を動かしながら歯を磨くが、右手を使う場合には右側の歯を磨くときに手首を捻る必要があり、力を入れ難くなるという課題がある。同様に、左手を使う場合には左側の歯が磨き難くなる。また柄が真っ直ぐな歯ブラシでは、歯の裏面を磨くときにブラシ毛を適切な角度で歯に当てることが難しいという課題もある。
【０００４】
これらの課題を解決すべく、ブラシ毛が植毛されたヘッド部材が柄の先端に回転自在に取付けられた歯ブラシが提案されている（例えば、特許文献１参照）。
【先行技術文献】
【特許文献】
【０００５】
【特許文献１】実開平６−３１５２８号公報
【発明の概要】
【発明が解決しようとする課題】
【０００６】
特許文献１に記載の歯ブラシによれば、歯を磨くときにヘッド部材が歯の並びに沿って回転してブラシ毛が歯に追従するので、歯の位置に関わらずブラシ毛を常に歯に直角に当てることができる。これにより手首を無理な角度に捻る必要がなくなり、歯の磨き易さが向上する。
【０００７】
しかしながら、特許文献１に記載の歯ブラシでは、歯を磨くときに力を入れるとヘッド部材が不意に回転してしまい、力がうまく歯（ブラシ毛）に伝わらず、却って歯が磨き難くなる場合がある。
【０００８】
本発明の目的は、使い勝手が良く、歯の汚れの除去性能が高い歯ブラシを提供することである。
【課題を解決するための手段】
【０００９】
本発明は、棒状の柄と、前記柄に回転自在に取付けられた回転ヘッドとを備え、前記柄は、手で把持するハンドル部と、先端部に形成されたネック部とを有し、前記回転ヘッドは、歯を磨くブラシ毛が植毛された植毛面を有し、前記ハンドル部の中心軸線に対して平行に回転するように前記ネック部の先端部に取付けられ、前記ネック部は、前記植毛面が前記中心軸線に平行な状態で前記植毛面の正面視において、前記植毛面が前記中心軸線上に位置するように湾曲していることを特徴とする歯ブラシである。
【００１０】
本発明の歯ブラシによれば、柄に回転自在に取付けられた、ブラシ毛を有する回転ヘッドを備えており、回転ヘッドが歯の並びに沿って回転してブラシ毛が歯に追従するので、手首を無理な角度に捻ることなく歯を磨くことが可能である。このとき回転ヘッドの植毛面が、正面視において、ハンドル部の中心軸線上に配置されているので、歯ブラシがハンドル部の中心軸線周りに回転しようとする力が抑制され、歯を磨くときの力が歯（ブラシ毛）に伝わり易くなり、使い勝手が良く、汚れの除去性能が向上する。
【００１１】
また本発明の歯ブラシにおいて、前記ネック部は、前記回転ヘッドの前記植毛面を有する植毛部が前記中心軸線上に位置するように湾曲していることを特徴とする。
【００１２】
本発明の歯ブラシによれば、回転ヘッドの植毛部がハンドル部の中心軸線上に配置されるので、歯ブラシがハンドル部の中心軸線周りに回転しようとする力がより抑制され、歯を磨くときの力が歯（ブラシ毛）に伝わり易く、汚れの除去性能がさらに向上する。
【００１３】
また本発明の歯ブラシにおいて、前記ネック部は、前記ブラシ毛で歯の裏面を磨くときに歯に接触しないように湾曲していることを特徴とする。
【００１４】
本発明の歯ブラシによれば、ネック部が歯の裏面を磨くときに歯に接触しないように湾曲しているので、手首を無理な角度に捻ることなく歯の裏面を容易に磨くことができる。
【００１５】
また本発明の歯ブラシにおいて、前記ネック部は、前記回転ヘッドを回転自在に取付可能な円筒状の軸受部を備え、前記回転ヘッドは、前記軸受部に回転自在に嵌合する軸部を備え、前記軸部は、前記軸受部内を摺動する摺動部が、径方向断面視において、前記軸受部の内径よりも大きい直径の円に２点以上で接し、該円に接する頂点を弧状とした形状に形成されていることを特徴とする。
【００１６】
本発明の歯ブラシによれば、摺動部が、径方向断面視において、軸受部の内径よりも大きい直径の円に２点以上で接しているので、摺動部と軸受部とで適度な摺動抵抗が生じ、回転ヘッドの不意な回転が抑制され、歯を磨くときの力が歯（ブラシ毛）に伝わり易く、汚れの除去性能が向上する。また摺動部が軸受部に２点以上で接するので、軸受部の摺動部に接していない部分が内側に変形して軸受部の半径方向に加わる力が緩和され、経年変化による軸受部の拡張が防止される。これにより長期間使用したとしても、摺動部と軸受部との摺動抵抗が維持される。さらに摺動部の頂点が弧状に形成されているので、摺動時の軸受部の損傷が防止される。
【００１７】
また本発明の歯ブラシにおいて、前記摺動部は、径方向断面視において、前記軸受部の内径よりも大きい直径の円に３点で接する三角形状に形成されていることを特徴とする。
【００１８】
本発明の歯ブラシによれば、摺動部が軸受部に３点で接するので、摺動部の各頂点が確実に軸受部に接し、軸受部に加わる半径方向の力を分散させることができる。
【００１９】
また本発明の歯ブラシにおいて、前記回転ヘッドは、側面視において、前記植毛面が歯の角度に応じて鉛直面に対し傾斜していることを特徴とする。
【００２０】
本発明の歯ブラシによれば、植毛面が歯の角度に応じて傾斜しているので、ブラシ毛が歯に適切な角度で当接し、汚れの除去性能が向上する。
【００２１】
また本発明の歯ブラシにおいて、前記ネック部は、前記回転ヘッドを回転自在に取付可能な円筒状の軸受部を備え、前記回転ヘッドは、前記軸受部に回転自在に嵌合する軸部を備え、前記軸受部は、内径が縮径された凸部を有し、前記軸部は、先端部の外径が前記凸部の内径よりも大きく形成されており、先端部が前記軸受部の凸部を乗り越えて前記軸受部に嵌合されていることを特徴とする。
【００２２】
本発明の歯ブラシによれば、軸受部に内径が縮径された凸部を有し、軸部の先端部の外径が凸部の内径よりも大きく形成されており、軸部の先端部が軸受部の凸部を乗り越えた状態で軸部が軸受部に嵌合されているので、回転ヘッドのネック部からの抜け止めを低コストで実現することができる。
【発明の効果】
【００２３】
本発明の歯ブラシによれば、回転ヘッドが歯の並びに沿って回転してブラシ毛が歯に追従するので、手首を無理な角度に捻ることなく歯を磨くことが可能である。このときに歯ブラシがハンドル部の中心軸線周りに回転しようとする力が抑制されるので、歯を磨くときの力が歯（ブラシ毛）に伝わり易くなり、使い勝手が良く、汚れの除去性能が向上する。
【図面の簡単な説明】
【００２４】
【図１】本発明の第１実施形態の歯ブラシ１の正面図である。
【図２】図１の歯ブラシ１の構成を示す図である。
【図３】図１の歯ブラシ１の側面図である。
【図４】図１の歯ブラシ１の平面図である。
【図５】図１の歯ブラシ１の摺動部２７における径方向断面図である。
【図６】図１の歯ブラシ１を使用して歯を磨いている状態を示す図である。
【図７】図１の歯ブラシ１を治具５１に載置した状態を示す図である。
【発明を実施するための形態】
【００２５】
図１は、本発明の第１実施形態の歯ブラシ１の正面図である。図２は、図１の歯ブラシ１の構成を示す要部拡大図である。図３は、図１の歯ブラシ１の側面図である。図４は、図１の歯ブラシ１の平面図である。図５は、図１の歯ブラシ１の摺動部２７における径方向断面図である。図６は、図１の歯ブラシ１を使用して歯を磨いている状態を示す図である。図７は、図１の歯ブラシ１を治具５１に載置した状態を示す図である。なお図２では、ブラシ毛３１を省略しており、図３では、ハンドル部１２を省略しており、図７では、符号を一部省略している。
【００２６】
第１実施形態の歯ブラシ１は、歯を磨くときに使用する歯ブラシであり、棒状の柄１１と、歯を磨くブラシ毛３１が植毛され、柄１１の先端部に回転自在に取付けられた回転ヘッド２１とを備え、磨く歯の位置に応じて回転ヘッド２１が回転可能に構成されている。
【００２７】
柄１１は、手で把持するハンドル部１２と、先端部に形成されたネック部１３とを有し、ネック部１３の先端部には、回転ヘッド２１を回転自在に取付可能な軸受部１４が形成されている。柄１１の材質は、特定の材質に限定されるものではなく、公知の歯ブラシの柄と同様の材質、例えば、ＡＳ樹脂、ＡＢＳ樹脂、ポリプロピレン樹脂、ポリエステル樹脂、エラストマー樹脂等の合成樹脂を用いることができる。
【００２８】
ハンドル部１２は、歯を磨くときに手で把持する部分であり、アール状に面取りが施された角棒状に形成されている。ハンドル部１２の形状は、特定の形状に限定されるものではなく、公知の歯ブラシのように、持ち易さや磨き心地等を考慮して、適宜最適な形状とすればよい。またハンドル部１２には、滑り止め等が設けられていてもよい。
【００２９】
ハンドル部１２の中心軸線Ｏは、ハンドル部１２を把持して歯を磨くときの長手方向周りの回転モーメントの中心軸となる。
【００３０】
ネック部１３は、柄１１の先端部に形成されており、先端部に回転ヘッド２１を回転自在に取付可能な軸受部１４を備える。ネック部１３は、歯の裏面を磨くときに歯に接触しないように湾曲して形成されている。
【００３１】
またネック部１３は、歯を磨くときの力が歯（ブラシ毛３１）に伝わり易いように、後述する回転ヘッド２１の植毛部２２の中心がハンドル部１２の中心軸線Ｏ上に配置されるように湾曲して形成されている。植毛部２２の中心をハンドル部１２の中心軸線Ｏ上に配置すると、植毛部２２の中心におけるハンドル部１２の中心軸線Ｏ周りの回転モーメントが０となり、植毛部２２（歯ブラシ１）がハンドル部１２の中心軸線Ｏ周りに回転しようとする力が抑制され、歯を磨くときの力が歯（ブラシ毛３１）に伝わり易くなる。
【００３２】
図７を用いてハンドル部１２の中心軸線Ｏ周りの回転モーメントについて説明する。治具５１は、基台５２と、基台５２に立設されハンドル部１２の先端部を下から支持する支持ブロック５３と、基台５２に立設されハンドル部１２の基端部を上から支持する支持ピンユニット５４と、重錘５５で構成されている。支持ピンユニット５４は、ハンドル部１２の基端部を支持する支持ピン５６と、基台５２に立設され支持ピン５６を固定する固定ブロック５７とで支持ピン５６の高さを調節可能に構成されている。
【００３３】
回転ヘッド２１の植毛面２４がハンドル部１２の中心軸線Ｏに平行な状態で、ハンドル部１２の先端部を支持ブロック５３の先端に当接させ、ハンドル部１２の基端部を支持ピン５６の先端に当接させ、歯ブラシ１が水平になるように支持ピン５６の高さを調節して固定する。この状態は、歯ブラシ１を手で握った状態を模擬しており、ハンドル部１２の中心軸線Ｏが水平になっている。
【００３４】
この状態において、歯を磨くときに植毛部２２に加わる力を模擬すべく、重錘５５を回転ヘッド２１の植毛面２４の中心に載せると、歯ブラシ１（中心軸線Ｏ）が水平を保ったまま静止する。このとき植毛部２２の中心におけるハンドル部１２の中心軸線Ｏ周りの回転モーメントが０になっており、歯ブラシ１がハンドル部１２の中心軸線Ｏ周りに回転せずに静止している。このように本実施形態の歯ブラシ１では、歯を磨くときに歯ブラシ１がハンドル部１２の中心軸線Ｏ周りに回転しようとする力が抑制され、歯（ブラシ毛３１）にしっかりと力を伝えることができる。
【００３５】
なおネック部１３は、少なくとも、後述する回転ヘッド２１の植毛面２４がハンドル部１２の中心軸線Ｏに平行な状態で植毛面２４を正面から見たときに、植毛面２４がハンドル部１２の中心軸線Ｏ上に位置するように湾曲していればよい。この場合には、正面視において中心軸線Ｏ上に位置する部分に中心軸線Ｏと直交する方向の力が加わったときのハンドル部１２の中心軸線Ｏ周りの回転モーメントが０となり、歯ブラシ１がハンドル部１２の中心軸線Ｏ周りに回転しようとする力が抑制され、歯を磨くときの力が歯（ブラシ毛３１）に伝わり易くなる。
【００３６】
ただし、植毛部２２、より好ましくは植毛部２２の中心がハンドル部１２の中心軸線Ｏ上に配置されていると、歯ブラシ１がハンドル部１２の中心軸線Ｏ周りに回転しようとする力が、より抑制され、歯を磨くときの力が歯（ブラシ毛３１）に伝わり易くなる。
【００３７】
軸受部１４は、後述する回転ヘッド２１の軸部２５を挿入可能に、ネック部１３の先端部に円筒状に形成されている。軸受部１４の内周面には、回転ヘッド２１の軸部２５を係止すべく、内径が縮径された凸部１５が形成されている。
【００３８】
回転ヘッド２１は、ブラシ毛３１が植毛された植毛部２２と、柄１１の軸受部１４に挿入され回転自在に取付けられる軸部２５とを備え、植毛部２２と軸部２５とが一体的に形成されている。回転ヘッド２１の材質は、特定の材質に限定されるものではないが、通常、柄１１と同じ材質が用いられる。
【００３９】
植毛部２２は、正面視において両端が半円状の矩形の基台であり、片面にブラシ毛３１を植毛する植毛穴２３が多数、形成されている。植毛部２２において、植毛穴２３が形成されている面を植毛面２４と呼ぶ。
【００４０】
植毛部２２の形状は、特定の形状に限定されるものではなく、磨き心地や汚れの除去性能等を考慮し、適宜最適な形状とすることができる。また植毛穴２３の数、形状、配置も、磨き心地や汚れの除去性能等を考慮し、適宜最適なものとすればよい。
【００４１】
軸部２５は、植毛部２２の中央上部から突出して円柱状に形成されている。軸部２５の中央部の外周面には、柄１１の軸受部１４の凸部１５に係止すべく、外径が縮径された凹部２６が形成されている。軸部２５は、先端を柄１１の軸受部１４に挿入し軸受部１４の凸部１５を通過させ、凹部２６と軸受部１４の凸部１５とを係止させることで、柄１１の軸受部１４に回転自在に取付けられる。
【００４２】
軸部２５の先端部は、外径が軸受部１４の凸部１５における内径よりも僅かに大きく形成されている。このため軸部２５の先端部が軸受部１４の凸部１５を通過するときには、軸受部１４の凸部１５が弾性変形により拡張され、軸部２５の先端部が凸部１５を乗り越えるようにして通過する。そして軸部２５の凹部２６と軸受部１４の凸部とが係止したときには、軸受部１４の凸部１５が拡張される前の内径に戻り、軸部２５の先端部が軸受部１４の凸部１５から抜けなくなる。なお軸部２５の先端部の外径と、軸受部１４の凸部１５における内径との差は、０．１ｍｍから０．２ｍｍ程度が好ましいが、これに限定されるものではない。
【００４３】
また軸部２５は、植毛面２４に対して傾斜するように形成されている。これにより軸部２５を軸受部１４に取付けたときに、回転ヘッド２１の側面視において、植毛面２４が鉛直面に対し傾斜する（図４参照）。軸部２５と植毛面２４との傾斜角度αは、特定の角度に限定されるものではなく、歯の角度に応じて磨き心地や汚れの除去性能等を考慮し、適宜最適な角度にすることができる。
【００４４】
軸部２５は、回転ヘッド２１が回転するときには、凹部２６よりも下部の外周面において軸受部１４内を摺動する。軸部２５において、軸受部１４内を摺動する部分を摺動部２７と呼ぶ。なお摺動部２７の位置は、凹部２６よりも下部に限定されるものではなく、凹部２６よりも上部でもよい。
【００４５】
摺動部２７は、径方向断面視において、軸受部１４の内径よりも大きい直径の円４０に頂点が接する正三角形の頂点及び辺を弧状とした形状に形成されている（図５（ａ）参照）。摺動部２７の形状は、これに限定されるものではないが、歯を磨いているときに回転ヘッド２１が容易に回転しない程度の摺動抵抗が加わるように、摺動部２７の外径が軸受部１４の内径よりも大きい形状であることが好ましい。歯を磨いているときに回転ヘッド２１が不意に回転すると、力が伝わらずに歯の汚れの除去性能が低下する恐れがある。
【００４６】
また摺動部２７の径方向断面視における形状を軸受部１４の内径よりも大きい直径の円４０とすると、軸受部１４に常に半径方向の力が加わり、経年変化により軸受部１４が拡張されて摺動抵抗が低下し、歯を磨いているときに回転ヘッド２１が不意に回転する恐れがある。これを防止すべく、摺動部２７は、径方向断面視において、軸受部１４の内径よりも大きい直径の円４０に２点以上で接し、該円４０よりも面積の小さい形状であることが好ましい。
【００４７】
摺動部２７を上記の形状とすることで、摺動部２７と軸受部１４とが接している部分で適度な摺動抵抗が加わるとともに、摺動部２７と軸受部１４とが接していない部分で軸受部１４が内側に変形し半径方向に加わる力が緩和され経年変化による摺動抵抗の低下が防止される（図５（ｂ）参照）。このとき軸受部１４の内径よりも大きい直径の円４０に接する頂点の数は、２点以上であればよいが、２点又は３点であると各頂点が確実に軸受部１４の内周面に当接し、好ましい。さらに２点で当接する場合に比べ、３点で当接する方が各頂点に加わる力が分散され、より好ましい。
【００４８】
なお摺動部２７と軸受部１４との寸法関係の一例を示すと、軸受部１４の内径が３．９ｍｍ、厚みが０．５ｍｍのときに、摺動部２７の頂点が接する円４０の直径が４．１ｍｍであり、摺動部２７の弧状に形成された辺の中点から軸受部１４の内径までの隙間の距離が０．２ｍｍである。また摺動部２７の頂点は、摺動時の軸受部１４の損傷を防止すべく弧状であることが好ましいが、摺動部２７の頂点と頂点とを結ぶ辺は、直線であってもよい。
【００４９】
ブラシ毛３１は、特定のものに限定されるものではなく、公知の歯ブラシに用いられるブラシ毛を適宜選定して用いることができる。ブラシ毛３１の材質としては、例えば、ナイロン、ポリブチレンテレフタラート、ポリプロピレン等の化学合成フィラメントや、豚毛、バジャー毛等の天然毛を用いることができる。
【００５０】
次に本実施形態の歯ブラシ１の作用について説明する。歯ブラシ１で歯の裏面を磨くときには、植毛面２４がハンドル部１２の方を向くように回転ヘッド２１を回転させ、回転ヘッド２１を口の中に入れてブラシ毛３１を歯の裏面に当接させて動かし歯を磨く。
【００５１】
このとき回転ヘッド２１の植毛部２２の中心がハンドル部１２の中心軸線Ｏ上に配置されており、植毛部２２の中心におけるハンドル部１２の中心軸線Ｏ周りの回転モーメントが０になるので、植毛部２２（歯ブラシ１）がハンドル部１２の中心軸線Ｏ周りに回転しようとする力が抑制され、歯を磨くときの力が歯（ブラシ毛３１）に伝わり易くなる。また回転ヘッド２１の摺動部２７には、適度に摺動抵抗が加わっているので回転ヘッド２１が軸部２５周りに不意に回転せず、しっかりと歯を磨くことができる。
【００５２】
歯を磨く場所を変えるときには、回転ヘッド２１の摺動部２７の摺動抵抗を上回る力でブラシ毛３１を歯に押し付けることで、植毛面２４（ブラシ毛３１）が歯に沿うように回転ヘッド２１が軸部２５周りに回転する。なお歯ブラシ１を口内から取出し、回転ヘッド２１を手で回転させてもよい。
【００５３】
歯の表側の面を磨くときには、図６の状態から回転ヘッド２１を１８０°回転させ、回転ヘッド２１を口の中に入れてブラシ毛３１を歯の表側の面に当接させて動かし歯を磨く。
【００５４】
本実施形態の歯ブラシ１によれば、歯の並びに沿って回転する回転ヘッド２１を備えているので、植毛面２４（ブラシ毛３１）が歯に追従し、手首を無理な角度に捻ることなくブラシ毛３１の角度が適切な状態で歯を磨くことが可能となり、使い勝手が良い。
【００５５】
また本実施形態の歯ブラシ１によれば、ネック部１３が歯の裏面を磨くときに歯に接触しないように湾曲して形成されているので、手首を無理な角度に捻らずに歯の裏面を容易に磨くことができる。
【００５６】
また本実施形態の歯ブラシ１によれば、回転ヘッド２１の植毛部２２の中心がハンドル部１２の中心軸線Ｏ上に配置されているので、植毛部２２の中心におけるハンドル部１２の中心軸線Ｏ周りの回転モーメントが０となり、植毛部２２（歯ブラシ１）がハンドル部１２の中心軸線Ｏ周りに回転しようとする力が抑制され、歯を磨くときの力が歯（ブラシ毛３１）に伝わり易くなり、使い勝手が非常に良く、汚れの除去性能が向上する。
【００５７】
また本実施形態の歯ブラシ１によれば、摺動部２７が、径方向断面視において、軸受部１４の内径よりも大きい直径の円４０に頂点が接する正三角形の頂点及び辺を弧状とした形状に形成されているので、摺動部２７と軸受部１４との間に適度な摺動抵抗が生じ、回転ヘッド２１の不意な回転が抑制され、歯を磨くときの力が歯（ブラシ毛３１）に伝わり易く、汚れの除去性能が向上する。
【００５８】
また摺動部２７が軸受部１４に３点で接するので、軸受部１４の摺動部２７に接していない部分が内側に変形して軸受部１４の半径方向に加わる力が緩和され、経年変化による軸受部１４の拡張が防止される。これにより長期間使用したとしても、摺動部２７と軸受部１４との摺動抵抗が維持される。さらに摺動部２７の頂点が弧状に形成されているので、摺動時の軸受部１４の損傷が防止される。
【００５９】
また本実施形態の歯ブラシ１によれば、植毛面２４が歯の角度に応じて傾斜しているので、ブラシ毛３１が歯に適切な角度で当接し、汚れの除去性能がより向上する。なお植毛面２４に代えて、ブラシ毛３１の先端が傾斜するように揃えられていてもよい。
【００６０】
また本実施形態の歯ブラシ１によれば、軸受部１４に内径が縮径された凸部１５を有し、軸部２５の先端部の外径が凸部１５の内径よりも大きく形成されており、軸部２５の先端部が軸受部１４の凸部１５を乗り越えた状態で軸部２５が軸受部１４に回転自在に嵌合されており、加工及び組付けが容易でありながら、回転ヘッド２１のネック部１３からの脱落を確実に防止することができる。
【００６１】
以上、第１実施形態の歯ブラシ１を用いて、本発明の歯ブラシを説明したが、本発明の歯ブラシは、上記実施形態に限定されるものではなく、要旨を変更しない範囲で変形して使用することができる。例えば、ネック部１３は、少なくとも、回転ヘッド２１の植毛面２４がハンドル部１２の中心軸線Ｏに平行な状態で植毛面２４を正面から見たときに、植毛面２４がハンドル部１２の中心軸線Ｏ上に位置するように湾曲していればよく、側面視（図３）においても湾曲していてもよい。
【００６２】
また本発明の歯ブラシは、自分の歯を磨く場合のみならず、他人の歯を磨く場合にも好適に用いることができる。
【００６３】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６４】
１  歯ブラシ
１１  柄
１２  ハンドル部
１３  ネック部
１４  軸受部
２１  回転ヘッド
２２  植毛部
２４  植毛面
２５  軸部
２７  摺動部
３１  ブラシ毛
４０  円
【図１】
2017006396.tif 000003
【図２】
2017006396.tif 000004
【図３】
2017006396.tif 000005
【図４】
2017006396.tif 000006
【図５】
2017006396.tif 000007
【図６】
2017006396.tif 000008
【図７】
2017006396.tif 000009